(57)【要約】【課題】利用者の継続性が高く且つ運動実践による実効度が高い運動処方を適切に作成する。【解決手段】利用者の体重や血圧等の定量的情報並びに利用者が望む体重等の目標値を記憶するデータベースと、各種運動のカロリー消費量や運動強度等の運動情報を記憶するデータベースと、上記目標値と利用者の定量的情報を基に上記運動情報を利用して運動メニューを作成処方する演算手段とからなる。上記演算手段は利用者の上記運動メニューに沿った運動実践の所定期間経過時に、上記目標値に対する達成度データと、別途取得した処方済運動メニューの実践度データ及び利用者の現行運動メニューについての意向のデータとを参照して次の運動メニューを作成処方する。指導者の指導がなくても運動メニューの更改を適切に行うことができる。【選択図】図１
2007272761.tif 000002
【特許請求の範囲】
【請求項１】
利用者の体重や血圧等の定量的情報並びに利用者が望む体重等の目標値を記憶するデータベースと、各種運動のカロリー消費量や運動強度等の運動情報を記憶するデータベースと、上記目標値と利用者の定量的情報を基に上記運動情報を利用して運動メニューを作成処方する演算手段とからなり、上記演算手段は利用者の上記運動メニューに沿った運動実践の所定期間経過時に、上記目標値に対する達成度データと、別途取得した処方済運動メニューの実践度データ及び利用者の現行運動メニューについての意向のデータとを参照して次の運動メニューを作成処方するものであることを特徴とする運動処方作成システム。
【請求項２】
前記データベースは利用者の利用者の性格や嗜好等の定性的情報を記憶しており、前記演算手段は運動メニューの作成処方にあたり、上記定性的情報を参照するものであることを特徴とする請求項１記載の運動処方作成システム。
【請求項３】
利用者の定量的情報及び利用者が望む目標値に立位姿勢に関する情報が含まれており、演算手段は立位姿勢に関する上記定量的情報と目標値とに応じて、作成処方する運動メニュー中に乗馬をシミュレートする運動機器の利用を含めるものであることを特徴とする請求項１または２記載の運動処方作成システム。
【請求項４】
利用者の定量的情報に食事量が含まれており、演算手段は作成処方する運動メニュー中に食事量を含めるものであることを特徴とする請求項１〜３のいずれか１項に記載の運動処方作成システム。
【発明の詳細な説明】
【技術分野】
【０００１】
本発明は、健康増進のための運動処方を提供する運動処方作成システムに関するものである。
【背景技術】
【０００２】
アスレチックジムやフィットネスセンター等の名称で利用者の健康増進を図る施設が多々存在している。このような施設においては、利用者の年齢や体力、要望などに応じてどのような運動をすべきかについての処方を提供することがなされており、この時、利用者の性格や処方した運動の実践度合いを把握して運動処方を改良することで、処方に対する運動実践レベルが高くなることも周知の事実となっている。
【０００３】
しかし、指導者の不足もあり、改良した運動処方を適切に提示することができない状態が多々生じており、これが原因で利用者の継続性が低下することが問題となっている。
【特許文献１】特開平０７−１７８０６４号公報
【発明の開示】
【発明が解決しようとする課題】
【０００４】
本発明は上記の従来の問題点に鑑みて発明したものであって、利用者の継続性が高く且つ運動実践による実効度が高い運動処方を適切に作成することができる運動処方作成システムを提供することを課題とするものである。
【課題を解決するための手段】
【０００５】
上記課題を解決するために本発明に係る運動処方作成システムは、利用者の体重や血圧等の定量的情報並びに利用者が望む体重等の目標値を記憶するデータベースと、各種運動のカロリー消費量や運動強度等の運動情報を記憶するデータベースと、上記目標値と利用者の定量的情報を基に上記運動情報を利用して運動メニューを作成処方する演算手段とからなり、上記演算手段は利用者の上記運動メニューに沿った運動実践の所定期間経過時に、上記目標値に対する達成度データと、別途取得した処方済運動メニューの実践度データ及び利用者の現行運動メニューについての意向のデータとを参照して次の運動メニューを作成処方するものであることに特徴を有している。指導者の指導がなくても運動メニューの更改を適切に行うことができる。
【０００６】
この時、利用者の定量的情報及び利用者が望む目標値に立位姿勢に関する情報が含まれており、演算手段は立位姿勢に関する上記定量的情報と目標値とに応じて、作成処方する運動メニュー中に乗馬をシミュレートする運動機器の利用を含めるものであることや、利用者の定量的情報に食事量が含まれており、演算手段は作成処方する運動メニュー中に食事量を含めるものであることが、利用者の目標達成に関してより好ましい結果を導くことができる。
【発明の効果】
【０００７】
本発明によれば、処方した運動メニューの実践度と、上記目標値に対する達成度と、利用者の現行運動メニューについての意向に基づいて次の運動メニューが処方されるものであり、指導者の指導がなくても運動メニューの更改を適切に行うことができる上に、利用者の意向も運動メニューの更改に反映されるために、継続性の高い運動処方を得ることができる。
【発明を実施するための最良の形態】
【０００８】
以下、本発明を添付図面に示す実施形態に基いて説明すると、図２において１は利用者に関する情報並びに運動に関する情報を納めるデータベース１１を内蔵するとともに運動処方の作成用プログラムが実行されるカウンセリング用の演算手段（コンピュータ）であり、この演算手段１には利用者に関する各種情報（利用者の目標を入力するための情報入力端末２と、利用者についての測定を行うための測定装置３とが接続されている。４は作成した運動処方を出力するための出力機器である。なお、演算手段１と情報入力端末２及び測定装置３の接続はＬＡＮやインターネットを介したものであってもよい。
【０００９】
情報入力端末２から入力される情報は、上記データベース１１の個人情報記憶部に利用者別に記録されるのであるが、この情報は年齢や性別、体格、既往症や医師から禁止されている運動、体調、性格、運動に対する嗜好などの定量的情報並びに定性的情報のほか、運動を通じて得たい姿の目標値であり、ダイエットを目的とする場合、この目標値は体重や体脂肪率、ウエストやヒップ、上腕回りや太もも回りなどのサイズの具体的数値である。また、立位姿勢における背筋が正しいＳ字姿勢とならない人にとっては、この姿勢も目標値とすることができる。また、現状の体力維持や、コレステロール値の低減、求める体力度なども目標値とすることができる。
【００１０】
前記測定装置３は、利用者の身長体重や体脂肪率を測定する機器や、血圧測定機器、立位姿勢（背すじ形状）や体の歪みなどを測定する機器、活動量を測定する機器、体力を測定する機器などで構成されたものであるが、人手による測定値を入力する機器も含むものとする。たとえば、ウエストやヒップ、上腕回りや太もも回りなどのサイズや１日の食事量（ｋｃａｌ／日）や睡眠量、コレステロール値等についてはこの入力機器を用いて入力する。そしてこれら機器で測定された（入力された）測定値は上記データベース１１に利用者別に記録される。
【００１１】
該運動処方システムの利用に際しては、まず情報入力端末２を用いた利用者の定量的情報及び定性的情報の入力と、測定装置３による利用者の各種情報取得を行い、その上で情報入力端末２上で上記測定の結果を参照しつつ利用者の目標値入力を行う。
【００１２】
今、図３に示すように、測定された体重が６０ｋｇ、体脂肪率が２６％、ウエストが６７ｃｍ、ヒップが８８ｃｍ、太ももが５０ｃｍ、活動量（消費カロリー）が２００ｋｃａｌ／日、食事量が１４００ｋｃａｌ／日、睡眠量が５．５時間、立位姿勢が凹円背であると測定された４８歳の女性が、ダイエットを目的としてたとえば１ヶ月という短期内で体重５７ｋｇ以下、体脂肪率２３％以下、ウエスト６５ｃｍ以下、ヒップ８５ｃｍ以下、太もも４５ｃｍ以下、立位姿勢をＳ字とするという目標値を上記目標値入力のステップで入力した時、この目標値も上記データベース１１に記録される。
【００１３】
この時、演算手段１上で作動している運動処方作成プログラムは、短期内に減量を行うことになるために、消費カロリーを例えば３００ｋｃａｌとなる運動をメニューに入れるのであるが、この場合、利用者の年齢や体力並びに定性的情報も考慮して２時間／日という長目のウォーキングをメインの運動メニューとして処方する。なお、定性的情報を運動メニューに反映させることについては、各運動について性格や嗜好によって重み付けを行うことが簡便である。
【００１４】
また、ここでは目標値に立位姿勢の矯正も含むことから、運動メニューには乗馬をシミュレートする運動機器の利用を０．５時間／日と、ストレッチを０．３時間／日行うことを運動メニューに付加する。利用者が座る座部を前後に移動させたり揺動させることで乗馬をシミュレートする運動機器は、バランスをとろうとする動きが筋力を鍛えるとともにカロリーを消費させるものであり、また筋力の増強やバランス感覚の向上だけでなく、背骨を支えている腹部や背中の筋肉、さらには臀部の筋肉を鍛えるために、利用者の立位姿勢を腰椎が前湾して背筋が伸びた適切なものとする効能を有しているからである。
【００１５】
そして、処方する運動メニューには、上記のような運動に加えて１２００ｋｃａｌ／日以下でＰＦＣバランスが１５：２５：６５となる食事量の食事メニューも処方する。
【００１６】
この運動メニュー（食事メニューを含む）の処方のために、上記データベース１１の運動情報記憶部には各種運動についての単位時間当たりのカロリー消費量や、利用者の性格並びに目標に対する各運動の適正度、食事量等についての情報が記録されており、上記作成プログラムは利用者に関する前記定量的情報及び定性的情報と、該運動情報記憶部に納められた情報とを基に運動メニュー及び食事メニューを作成処方し、これを出力して利用者に提示すると同時に、データベース１１の個人情報記憶部に処方結果も記憶する。上記作成処方時には指導者による処方の修正が加えられるようになっていることが好ましい。
【００１７】
なお、運動に機器を用いる場合もあることから、その運動用機器を使用した時の活動量や設定できる運動強度の範囲、有酸素運動となる運動の範囲、利用制限時間等も上記運動情報記憶部に記憶させている。
【００１８】
そして、運動メニューの実践に際しては、その実践度合いも演算手段１のデータベース１１にその都度登録して実践度データとしておく。これは機器を利用した運動の場合は、その機器の利用の際に利用者の情報を入力すれば、機器側において利用時間や運動強度といったデータを送り出すことで自動で登録されるようにしておくことができる。機器を利用しない運動や上記機能を有していない機器を利用した運動に関しては、利用者本人あるいは指導者が、処方された運動メニューを消化したかどうかを入力することで行えばよい。この時、実践度合いから活動量が自動的に求められるようにしておくことが好ましい。
【００１９】
上記処方の運動及び食事を一定期間（例えば１ヶ月間）行ったならば、再度前記測定を行う。そしてその測定値がたとえば体重５５ｋｇ、体脂肪率２５％、ウエスト６５ｃｍ、ヒップ８８ｃｍ、太もも４７ｃｍ、立位姿勢はＳ字、活動量が３１０ｋｃａｌ／日、食事量が１２００ｋｃａｌ／日、睡眠時間が６時間であったならば、前記目標値との比較で運動処方作成プログラムは各項目について達成度の判定を行う。図３に示した例の場合、体重とウエストと立位姿勢と活動量と食事量並びに睡眠時間の項目について達成されたとの判定がなされ、体脂肪率とヒップと太ももの項目について未達成との判定がなされることになる。
【００２０】
この達成度の判定後、運動処方作成プログラムは図１に示すように未達成となった項目がなければ、利用者に対して目標値の変更を促すステップを実行し、変更しないとの入力があった時には現状の処方を維持し、変更するとの入力があった時には前記目標値の入力ステップに移行する。従って利用者はより高い目標値を設定することができる。
【００２１】
未達成項目（未達項目）があった時には、運動処方作成プログラムは未達成項目を利用者に提示するとともに、処方した運動メニュー（食事メニューを含む）が実践できていなかった時には実行しやすい処方への変更を行い、実践できていた時には利用者本人に目標値を変更するかどうかを問い合わせて、変更したくないとの入力があれば目標に対する効果の上がりやすい処方への変更を行い、目標値を変更する旨の入力があれば目標値の入力ステップに移行する。
【００２２】
なお、目標値が変更された時に運動処方作成プログラムが新たに作成する運動処方は、先に処方した運動メニューの実践度合い並びに達成度を参酌しつつ変更された目標値に適合するものとする。
【００２３】
ここで、上述の「実行しやすい処方」は、運動に要する時間が短くてすむものや、体力的により無理のないものを主として処方し、「効果の上がりやすい処方」は短時間でより消費カロリーが大きい運動を主として処方することになるが、この処方の決定に際し、運動処方作成プログラムは利用者の性格や体力なども反映させて決定する。この時も指導者からの修正を受け付けることができるようにしておくことが好ましい。
【図面の簡単な説明】
【００２４】
【図１】本発明の実施の形態の一例の動作を示すフローチャートである。
【図２】同上のブロック図である。
【図３】同上の説明図である。
【符号の説明】
【００２５】
１  演算手段
２  情報入力端末
３  測定装置
４  出力機器
【図１】
2007272761.tif 000003
【図２】
2007272761.tif 000004
【図３】
2007272761.tif 000005